(57)【要約】【課題】簡易な作業で容易に施工できると共に、長期間に亘って高い気密性を安定して保持できる気密住宅の縦材脚部気密構造を提供する。【解決手段】一階床部における、柱材（縦材）１３と床下地材１４とによる柱脚部の納まり部分で、柱材１３の下端部周面と床下地材１４の柱脚欠込み部１８との隙間を介した通気路５５が形成されないようにする縦材脚部気密構造１０において、平坦な気密フィルム部材２１を、これに開口形成したほぞ貫通穴２２を横架材１２のほぞ穴２０ｂに合致させて、横架材１２及び断熱材１９の上面に配設する。柱材１３の下端面と横架材１２との間に気密フィルム部材２１を挟み込んで、ほぞ２０ａをほぞ穴２０ｂに嵌合係止することにより、柱材１３の下端部を横架材１２に接合し、且つ横架材１２及び断熱材１９の上面との間に気密フィルム部材２１を挟み込んで、床下地材１４を、柱脚欠込み部１８に柱材１３の下端部を配置しつつ敷設する。【選択図】図１
2009052326.tif 000002
【特許請求の範囲】
【請求項１】
気密住宅における、横架材に下端部が接合されて立設する縦材と横架材の上に敷設される床下地材とによる縦材脚部の納まり部分で、縦材の下端部周面と床下地材の欠込み部との間の隙間を介した通気路が形成されないようにする気密住宅の縦材脚部気密構造において、
前記縦材の下端面よりも大きな平面形状を有する気密フィルム部材を前記横架材の上面に配設し、前記縦材の下端面と前記横架材との間に前記気密フィルム部材を挟み込んだ状態で、前記縦材の下端部を前記横架材に接合し、且つ前記横架材の上面との間に前記気密フィルム部材を挟み込んだ状態で、前記床下地材を、前記欠込み部に前記縦材の下端部を配置しつつ敷設することによって構成される気密住宅の縦材脚部気密構造。
【請求項２】
前記縦材は柱材であり、該柱材の下端部は、ほぞ及びほぞ穴による継手を介して前記横架材に接合されると共に、前記気密フィルム部材には、ほぞ貫通穴が開口形成されている請求項１に記載の気密住宅の縦材脚部気密構造。
【請求項３】
前記横架材は、一階床部に設けられた横架材であり、該横架材によって周囲を囲まれる内側に断熱材が取り付けられると共に、該横架材及び該断熱材の上面との間に前記気密フィルム部材を挟み込んだ状態で、前記床下地材が敷設される請求項1又は２に記載の気密住宅の縦材脚部気密構造。
【発明の詳細な説明】
【技術分野】
【０００１】
本発明は、気密住宅の縦材脚部気密構造に関し、特に、気密住宅における、横架材に下端部が接合されて立設する縦材と横架材の上に敷設される床下地材とによる縦材脚部の納まり部分で、縦材の下端部周面と床下地材の欠込み部との間の隙間を介した通気路が形成されないようにする気密住宅の縦材脚部気密構造に関する。
【背景技術】
【０００２】
例えば、計画的な換気による快適性の向上や、断熱性の向上による省エネルギー化を図るために、近年、気密性能に優れた気密住宅が好ましく採用されている。気密住宅は、気密性能を表す、例えば総相当隙間面積（ｃｍ2）を実質延べ床面積（ｍ2）で除した値である相当隙間面積が、例えば５（床面積１平方メートル当たり５平方センチメートル）以下の住宅であり、このような気密性能を得るために、住宅の各部の隙間を塞ぐことによって気密性を高める種々の工夫がなされている。
【０００３】
一方、例えば気密住宅の一階床部では、土台や床梁等の横架材５１から立設して取り付けられる縦材である柱材５０は、例えば図４（ａ）に示すように、一般に、横架材５１上に敷設される床下地材５２に形成された柱脚欠込み部５３を介して床下地材５２の上方に延設することになるが、柱部材５０の下端部周面と床下地材５２の柱脚欠込み部５３との間には隙間５４が生じやすく、この隙間５４を介して床下部５６と居室部５７との間に通気路５５が形成されることにより、気密性が損われるおそれがある。このため、従来の技術によれば、例えば図４（ｂ）に示すように、床下地材５２の上面側から、柱材５０の下端部周面と床下地材５２の柱脚欠込み部５３との間の隙間５４を覆うようにして気密テープ５８を貼り付ける方法が採用されていたが、直角に交わる柱材５０の下端部周面と床下地材５２の上面とに連続して密着させるために、気密テープ５８を直角に折り曲げつつ柱材５０の周囲に沿って貼り付ける作業に手間が掛かると共に、作業者の熟練によって気密状態の品質にバラツキが生じ、高い気密性を安定して保持することが困難だった。
【０００４】
これに対して、柱材の下端部の外周面の形状と略同一形状の柱密着面を有する柱密着部と、該柱密着部の下端外周に一体的に形成された水平な床密着面を有する床密着部とを備える立体形状の気密カバーを用いることにより、作業者による品質のバラツキを抑制しつつ、高い気密性を確保できるようにした柱と床の接続部の気密構造が開示されている（例えば、特許文献１参照）。
【特許文献１】特開２００１−２０７５５８号公報
【発明の開示】
【発明が解決しようとする課題】
【０００５】
しかしながら、特許文献１の気密構造では、施工現場での作業を簡易にすることができる一方で、柱密着部と床密着部とが一体となった立体形状の気密カバーを、縦材である柱材の脚部と床部材との接続部分の形状に沿った形状に、例えば合成樹脂を用いて予め精度良く形成するのにコストと手間がかかることになる。また気密カバーは、その立体形状を保持するためにある程度の剛性が必要となるため、厚さが厚くなって、床下地材の上面に床仕上げ材を取り付ける際の邪魔になりやすい。さらに、気密カバーは、接着剤や両面接着テープ等を介して柱材や床部材に接着固定されることになるが、長期間が経過すると接着部分が剥がれて気密性が損われるおそれがある。
【０００６】
本発明は、このような従来の課題に着目してなされたものであり、フィルム部材を立体形状に加工することなく、平坦な形状の合成樹脂製のフィルム部材を用いて、簡易な作業により品質のバラツキを生じさせることなく容易に施工することができると共に、長期間に亘って高い気密性を安定して保持することのできる気密住宅の縦材脚部気密構造を提供することを目的とする。
【課題を解決するための手段】
【０００７】
本発明は、気密住宅における、横架材に下端部が接合されて立設する縦材と横架材の上に敷設される床下地材とによる縦材脚部の納まり部分で、縦材の下端部周面と床下地材の欠込み部との間の隙間を介した通気路が形成されないようにする気密住宅の縦材脚部気密構造において、前記縦材の下端面よりも大きな平面形状を有する気密フィルム部材を前記横架材の上面に配設し、前記縦材の下端面と前記横架材との間に前記気密フィルム部材を挟み込んだ状態で、前記縦材の下端部を前記横架材に接合し、且つ前記横架材の上面との間に前記気密フィルム部材を挟み込んだ状態で、前記床下地材を、前記欠込み部に前記縦材の下端部を配置しつつ敷設することによって構成される気密住宅の縦材脚部気密構造を提供することにより、上記目的を達成したものである。
【０００８】
また、本発明の気密住宅の縦材脚部気密構造では、前記縦材が柱材であり、該柱材の下端部は、ほぞ及びほぞ穴による継手を介して前記横架材に接合されると共に、前記気密フィルム部材には、ほぞ貫通穴が開口形成されていることが好ましい。
【０００９】
さらに、本発明の気密住宅の縦材脚部気密構造では、前記横架材は、一階床部に設けられた横架材であり、該横架材によって周囲を囲まれる内側に断熱材が取り付けられると共に、該横架材及び該断熱材の上面との間に前記気密フィルム部材を挟み込んだ状態で、前記床下地材が敷設されていることが好ましい。
【発明の効果】
【００１０】
本発明の気密住宅の柱脚部気密構造によれば、フィルム部材を立体形状に加工することなく、平坦な形状の合成樹脂製のフィルム部材を用いて、簡易な作業により品質のバラツキを生じさせることなく容易に施工することができると共に、長期間に亘って高い気密性を安定して保持することができる。
【発明を実施するための最良の形態】
【００１１】
図１に示す本発明の好ましい一実施形態に係る気密住宅の柱脚部気密構造１０は、例えば相当隙間面積が５以下となるように設計された木造の気密住宅において、横架材１２として例えばコンクリート基礎１１の上に設置された土台から立設する、縦材としての柱材１３の柱脚部（縦材脚部）と床下地材１４との納まり部分で、柱材１３の下端部周面と床下地材１４との間の隙間１５を介して床下部１６と居室部１７との間に通気路５５（図４（ａ）参照）が形成されるのを遮断して、当該柱脚部の納まり部分における高い気密性を安定して保持できるようにするために採用されたものである。
【００１２】
そして、本実施形態の柱脚部気密構造１０は、気密住宅の例えば一階床部における、横架材１２に下端部が接合されて立設する縦材としての柱材１３と、横架材１２の上に敷設される床下地材１４とによる柱脚部（縦材脚部）の納まり部分で、柱材１３の下端部周面と床下地材１３の柱脚欠込み部１８との間の隙間１５を介した通気路５５（図３（ａ）参照）が形成されないようにする気密構造において、図２にも示すように、柱材１３の下端面よりも大きな平面形状を有する気密フィルム部材２１を横架材１２の上面に配設し、柱材１３の下端面と横架材１２との間に気密フィルム部材２１を挟み込んだ状態で、柱材１３の下端部を横架材１２に接合し、且つ横架材１２の上面との間に気密フィルム部材２１を挟み込んだ状態で、床下地材１４を、柱脚欠込み部１８に柱材１３の下端部を配置しつつ敷設することによって構成されている。
【００１３】
また、本実施形態では、柱材１３の下端部は、ほぞ２０ａ及びほぞ穴２０ｂによる継手を介して横架材１２に接合されると共に、気密フィルム部材２１には、ほぞ貫通穴２２が開口形成されており、ほぞ貫通穴２２をほぞ穴２０ｂに合致させて、横架材１２の上面に気密フィルム部材２１が配設される。柱材１３の下端面と横架材１２との間に気密フィルム部材２１を挟み込むようにして、ほぞ貫通穴２２にほぞ２０ａを挿通しながらほぞ２０ａをほぞ穴２０ｂに嵌合係止することにより、柱材１３の下端部が横架材１２に接合されるようになっている。
【００１４】
さらに、本実施形態では、横架材１２によって周囲を囲まれる内側に断熱材１９が取り付けられており、横架材１２及び断熱材１９の上面との間に気密フィルム部材２１を挟み込んだ状態で、床下地材１４が敷設されている。
【００１５】
本実施形態の柱脚部気密構造１０が採用される気密住宅は、相当隙間面積が例えば５（床面積１平方メートル当たり５平方センチメートル）以下となるように設計された住宅であり、優れた気密性能を備えると共に、一階床部や各階の外壁部、最上階の天井部等に断熱材が配設されることにより、優れた断熱性能をも備えている。本実施形態では、一階床部に配設される断熱材１９は、例えば５０〜６０ｍｍ程度の厚さの厚板状の発泡スチロール、ポリスチレンフォーム、ポリスチレン系樹脂の発泡体等からなり、土台や床梁による横架材１２によって周囲を囲まれる各矩形枠の内側に、好ましくは断熱材受け金具を用いて嵌め込まれるように取り付けらて、これの周端面を矩形枠の内側面に強固に密着させると共に、これの上面を横架材１２の上面と略面一に配置した状態で一階床部に設置される。
【００１６】
本実施形態では、横架材１２としての土台は、例えば木製の角材からなり、例えばコンンクリート基礎１１の上端面との間に好ましくはスペーサ部材２３を介在させて、当該上端面に沿って設置される。一方、横架材１２としての床梁もまた、例えば木製の角材からなり、例えば気密住宅の屋内を仕切る仕切壁が配置される部分に、土台や他の床梁に両端面を支持固定された状態で架設され、こられの土台や他の床梁と共に一階床部を縦横に仕切る矩形枠を形成する。また、横架材１２の上面には、柱材１３が取り付けられる位置に、ほぞ穴２０ｂが開口形成されている。
【００１７】
柱材１３は、例えば木製の角材からなり、その下端面にはほぞ２０ａが突出して設けられている。このほぞ２０ａを横架材１２の上面に形成されたほぞ穴２０ｂに嵌合係止することにより、柱材１３は、横架材１２に対して垂直に立設した状態で、その脚部である下端部を横架材１２に強固に接合固定することができる。なお、柱材１３と横架材１２との接合状態は、例えば公知のホールダウン金物等を取り付けることによって適宜補強することができる。
【００１８】
床下地材１４は、例えば合板等による公知の床パネルからなり、柱材１３を横架材１２に取り付けた後に、横架材１２及び断熱材１９を覆って一階床部に敷設固定される。床下地材１４は、例えば矩形形状の規格品を、必要に応じて適宜の大きさ、形状に切断し、縦横に複数敷き並べて用いられる。また、床下地材１４の柱材１３の脚部との納まり部分に配置される箇所には、床下地材１４の周縁部を例えば矩形形状等に切り欠いて、柱脚欠込み部１８が形成されている。床下地材１４を敷設する際に、この柱脚欠込み部１８に柱材１３の下端部を嵌め込むように納めて床下地材１４を設置することにより、柱材１３は、横架材１２から敷き並べられた床下地材１４を貫通してこれの上方に向けて立設することになる。
【００１９】
気密フィルム部材２１は、例えば防湿気密フィルム材料として公知の各種の合成樹脂製のフィルム材料を用いて容易に形成することができる。防湿気密フィルム材料としては、より具体的には、例えばポリエチレン樹脂、ポリプロピレン樹脂、ポリエステル樹脂等の合成樹脂からなる厚さが０．１〜０．３ｍｍ程度のフィルム材料を好ましく用いることができる。本実施形態では、気密フィルム部材２１は、防湿気密フィルム材料を、柱材１３の下端面よりも大きな平面形状として、例えば縦横３００〜３００ｍｍ程度の大きさの４角形の平面形状に裁断すると共に、その中央部分に、例えば横架材１２のほぞ穴２０ｂと略同じ形状、大きさのほぞ貫通穴２２を開口形成するだけの簡単な方法によって容易に加工形成することができ、平坦な形状のまま用いられる。
【００２０】
本実施形態の柱脚部気密構造は、以下の作業手順によって、柱材１３の脚部と床下地材１４との納まり部分に容易に設けることができる。すなわち、例えば従来の方法と同様の施工方法によって、一階床部に、横架材１２として土台や床梁を取り付けると共に、これらの横架材１２による矩形枠の内側に、断熱材１９を、これの上面を横架材１２の上面と略面一に配置した状態で一階床部に設置する。しかる後に、柱材１３の取り付け箇所に、気密フィルム部材２１を、これのほぞ貫通穴２２を横架材１２のほぞ穴２０ｂに合致させた状態で、横架材１２及び断熱材１９の上面に仮留めすることによって配設する。
【００２１】
ここで、気密フィルム部材２１の仮留めは、タッカー等を用いて例えば２箇所以上で留め付けることにより、容易に行うことができる。また、例えば柱材１３と横架材１２との接合状態をホールダウン金物によって補強する場合には、気密フィルム部材２１に、カッター等を用いてホールダウン金物挿通用の下穴を形成しておく。さらに、例えば気密住宅の外壁に沿って配置される土台を横架材１２とした柱材１３との納まり部分等において、気密フィルム部材２１が横架材１２から断熱材１９が設置されていない外側部分にはみ出す場合には（図２参照）、このようなはみ出した部分をカッター等を用いて切り取っておくことができる。またはみ出した部分を切り取ることなく土台の側面に沿って折り曲げて、タッカー等を用いて留め付けておくこともできる。
【００２２】
柱材１３の取り付け箇所に気密フィルム部材２１を配設したら、柱材１３の下端面と横架材１２との間に気密フィルム部材２１を挟み込んだ状態で、ほぞ２０ａをほぞ穴２０ｂに嵌合係止することにより、柱材１３の下端部を横架材１２に接合する。さらに、横架材１２及び断熱材１９の上面との間に気密フィルム部材２１を挟み込んだ状態で、床下地材１４を、柱脚欠込み部１８に柱材１３の下端部を配置しつつ敷設することによって、本実施形態の柱脚部気密構造１０が、容易に形成されることになる。
【００２３】
なお、柱脚部気密構造１０を形成したら、従来技術と同様に、例えば床下地材１４の上面に床仕上材を取り付けたり、柱材１３に壁下地材や壁仕上材を取り付けて、引き続き気密住宅の建築作業が行われる。
【００２４】
そして、上述の構成を有する本実施形態の柱脚部気密構造１０によれば、フィルム部材を立体形状に加工することなく、平坦な形状の合成樹脂製の気密フィルム部材２１を用いて、簡易な作業により品質のバラツキを生じさせることなく容易に施工することが可能になると共に、長期間に亘って高い気密性を安定して保持することが可能になる。すなわち、本実施形態によれば、上述のように、柱材１３の下端面よりも大きな平面形状に裁断すると共に、その中央部分にほぞ貫通穴２２を開口形成しただけの平坦な形状の気密フィルム部材２１を、柱材１３の下端面と横架材１２との間に挟み込むと共に、床下地材１４と横架材１２及び断熱材１９との間に挟み込むだけの簡易且つ安価な施工方法によって、高度な熟練を要することなく、且つ品質のバラツキを生じることなく、高い気密性を有する機密構造を、一階床部の柱脚部の納まり部分に安定した状態で設けることが可能になる。
【００２５】
また、本実施形態の柱脚部気密構造１０によれば、気密フィルム部材２１は、柱材１３の下端面と横架材１２との間、及び床下地材１４と横架材１２及び断熱材１９との間に挟み込まれることによってこれらとの密着状態を保持し、接着剤等を特に用いる必要がないので、取り付けられた気密フィルム部材２１が、柱材１３の下端部周面と床下地材１４の柱脚欠込み部１８との間の隙間１５を遮るように強固に遮断して、柱脚部の周囲における高い気密性を長期間に亘って安定して保持することが可能になる。
【００２６】
なお、本発明の縦材脚部気密構造は、上記実施形態に限定されることなく種々の変更が可能である。例えば、縦材は柱材である必要は必ずしもなく、横架材に下端部が接合されて立設する縦枠等のその他の種々の縦材であっても良い。また、気密フィルム部材は、４角形の平面形状に裁断する必要は必ずしもなく、縦材の下端面よりも大きいその他の種々の平面形状に裁断することもできる。さらに、縦材は、木製の角材を用いて形成する必要は必ずしもなく、細長い円柱形状の縦材等であっても良い。さらにまた、縦材は、ほぞ及びほぞ穴による継手を介して横架材に接合される必要は必ずしもない。
【００２７】
また、本発明の縦材脚部気密構造は、横架材によって周囲を囲まれる内側に断熱材が取り付けられた床部において、横架材及び断熱材の上面との間に気密フィルム部材を挟み込んだ状態で、床下地材を敷設して構成される必要は必ずしもなく、断熱材が取り付けられていない床部や、一階床部以外の床部において採用することもできる。例えば、断熱材が取り付けられていない一階床部においては、図３（ａ）に示すように、柱材（縦材）１３及び横架材１２からはみ出した部分の気密フィルム部材２１を、横架材１２の側面に取り付けた支持木片２４によって下方から支持した状態で、気密フィルム部材２１を床下地材１４と横架材１２との間に挟み込んで、気密性を確保することもできる。また上階床部においては、図３（ｂ）に示すように、柱材（縦材）１３及び横架材１２からはみ出した部分の気密フィルム部材２１を、床下地材１４の下面に接着テープ２５等を介して下方から固着することにより、気密性を確保することもできる。さらに、図３（ｃ）に示すように、例えば出窓部分において、横架材１２から立設する縦材１３と床下地材１４とによる縦材脚部の納まり部分に採用することもできる。
【図面の簡単な説明】
【００２８】
【図１】本発明の好ましい一実施形態に係る気密住宅の柱脚部気密構造の構成を説明する要部断面図である。
【図２】本発明の好ましい一実施形態に係る気密住宅の柱脚部気密構造の構成を説明する要部分解斜視図である。
【図３】（ａ）〜（ｃ）は、本発明に係る気密住宅の柱脚部気密構造の他の形態を例示する要部断面図である。
【図４】（ａ）は、柱部材の下端部周面と床下地材の柱脚欠込み部との間の隙間を介して形成される通気路を説明する従来技術の要部断面図、（ｂ）は、柱材の下端部周面と床下地材の柱脚欠込み部との間の隙間を覆って気密テープを貼り付けた状態を説明する従来技術の要部斜視図である。
【符号の説明】
【００２９】
１０  柱脚部気密構造
１１  コンクリート基礎
１２  横架材
１３  柱材（縦材）
１４  床下地材
１５  隙間
１６  床下部
１７  居室部
１８  柱脚欠込み部（欠込み部）
１９  断熱材
２０ａ  ほぞ
２０ｂ  ほぞ穴
２１  気密フィルム部材
２２  ほぞ貫通穴
２３  スペーサ部材
５５  通気路
【図１】
2009052326.tif 000003
【図２】
2009052326.tif 000004
【図３】
2009052326.tif 000005
【図４】
2009052326.tif 000006